(57)【要約】【課題】床部とかご敷居本体との間の意匠性の低下を防止するとともに、かご敷居本体の上面と床部の敷物の上面との段差によって乗客が転倒することを防止することができるエレベータの敷居装置を得る。【解決手段】床部１０と敷居本体２０との間に着脱可能に配置される段差緩和部材３０を備え、段差緩和部材３０は、床部１０と敷居本体２０との間に段差緩和部材を螺着させるためのねじ部に対向して設けられた長穴３０ａと、長穴３０ａを通してねじ部２１ａにねじ７を締め付けることにより、ねじ７の頭部の外周面が圧接される受皿状傾斜部３０ｂとを備える。【選択図】図２
2011011864.tif 000002
【特許請求の範囲】
【請求項１】
床部と敷居本体との間に着脱可能に配置される段差緩和部材を備えたエレベータの敷居装置であって、
前記段差緩和部材は、
前記床部と前記敷居本体との間に前記段差緩和部材を螺着させるためのねじ部に対向して設けられた長穴と、
前記長穴を通して前記ねじ部にねじを締め付けることにより、前記ねじの頭部の外周面が圧接される受皿状傾斜部と
を備えることを特徴とするエレベータの敷居装置。
【請求項２】
請求項１に記載のエレベータの敷居装置において、
前記段差緩和部材は、
前記敷居本体側に設けられ、前記敷居本体に形成された断面弧状の凹部に回動可能に係合される第１の係合部と、
前記床部側に設けられ、前記床部の上面に近づく方向へ傾斜している上面傾斜部と、前記上面傾斜部の下部に形成され、前記床部に係合される下面段差部とを有している第２の係合部と
をさらに備えることを特徴とするエレベータの敷居装置。
【請求項３】
請求項１に記載のエレベータの敷居装置において、
前記段差緩和部材の上部には、前記床部と前記敷居本体との幅方向に沿って曲面部が形成されていることを特徴とするエレベータの敷居装置。
【請求項４】
請求項１ないし３のいずれか１項に記載のエレベータの敷居装置において、
前記ねじ部は、前記段差緩和部材の設置角度に応じて回転可能な構造を有する
ことを特徴とするエレベータの敷居装置。
【発明の詳細な説明】
【技術分野】
【０００１】
本発明は、かごと乗場との間の出入口の下部に配置されているエレベータの敷居装置に関するものである。
【背景技術】
【０００２】
エレベータのかご床の敷物は、乗客の出入り等によって、表面が摩耗や破損する場合がある。そのため、摩耗や破損した敷物は、新しい敷物に適時交換する必要がある。
【０００３】
しかし、従来のかご床の敷物は、鋼板製のかご床枠上に接着剤等で接着されている。このため、かご床の敷物の交換作業は、古い敷物を剥がした後、新しい敷物をかご床枠上に接着させる必要があった。従って、かご床の敷物の交換作業に手間が掛かってしまうといった問題点があった。
【０００４】
そこで、上記の問題点を解決する従来技術の１つとして、床板取付枠の上部及び側部に複数のガイドレールを設け、係合溝が形成された敷物を各ガイドレールに対して着脱可能とした技術が提案されている。これにより、敷物を簡単且つ短時間で交換することができる（例えば、特許文献１参照）。
【０００５】
その反面、特許文献１に示すような従来技術では、新しい敷物に交換するときに、現行の敷物と同等の敷物に交換しなければならないという制約があった。しかし、エレベータのかご床の敷物は、エレベータ機器の中でも高い意匠性が要求される部品である。このため、特許文献１に示すような従来技術では、エレベータの設置環境や利用者の好みの変化に応じて、現行の敷物と種類の異なる敷物を使用することができないといった問題点があった。
【０００６】
そこで、上記の問題点を解決する従来技術の１つとして、垂直部と水平部とからなる断面Ｌ字形の押圧部材を、かご床とかご敷居本体との間に配置するエレベータの敷居装置が提案されている。具体的には、水平部を、かご敷居本体よりも高い位置にあるかご床の上面に圧着固定する。これにより、現行の敷物とは異なる種類の敷物を、エレベータの設置環境や利用者の好みの変化に応じて使用することができる（例えば、特許文献２参照）。
【先行技術文献】
【特許文献】
【０００７】
【特許文献１】特開平１１−６０１１４号公報
【特許文献２】実開昭５９−１５３９８１号公報
【発明の概要】
【発明が解決しようとする課題】
【０００８】
しかしながら、特許文献２に示すような従来技術では、リフォーム工事などで、かご床の敷物を、厚手の敷物や材質の硬い敷物（例えば、絨毯や大理石）に交換してほしいといった依頼があった場合、かご床の敷物の上面と、かご敷居本体の上面とに段差が生じてしまう。このため、かご床とかご敷居本体との間の意匠性が低下してしまうとともに、かご床の敷物の上面と、かご敷居本体の上面との段差によって乗客が転倒してしまうといった問題点があった。
【０００９】
本発明は、上記のような課題を解決するためになされたものであり、床部とかご敷居本体との間の意匠性の低下を防止するとともに、床部の上面と、敷居本体の上面との段差によって乗客が転倒することを防止することができるエレベータの敷居装置を得ることを目的とする。
【課題を解決するための手段】
【００１０】
本発明に係るエレベータの敷居装置は、床部と敷居本体との間に着脱可能に配置される段差緩和部材を備えたエレベータの敷居装置であって、段差緩和部材は、床部と敷居本体との間に段差緩和部材を螺着させるためのねじ部に対向して設けられた長穴と、長穴を通してねじ部にねじを締め付けることにより、ねじの頭部の外周面が圧接される受皿状傾斜部とを備えるものである。
【発明の効果】
【００１１】
本発明に係るエレベータの敷居装置よれば、段差緩和部材を、長穴を有する構造にするとともに、ねじをねじ部に締め付けることでねじの頭部の外周面が圧接される受皿状傾斜部を有する構造としている。これにより、床部と敷居本体との段差に応じて、段差緩和部材の設置角度を変更することができ、床部と敷居本体との間に傾斜面を形成することができる。従って、床部と敷居本体との間の意匠性の低下を防止するとともに、床部の上面と、敷居本体の上面との段差によって乗客が転倒することを防止することができるエレベータの敷居装置を得ることができる。
【図面の簡単な説明】
【００１２】
【図１】本発明の実施の形態１に係るエレベータの敷居装置を示す斜視図である。
【図２】図１のエレベータの敷居装置の要部を示す断面図である。
【図３】図２の段差緩和部材を示す断面図である。
【図４】皿ねじ及び段差緩和部材の要部を示す分解斜視図である。
【図５】かご敷居本体の上面よりも、かご敷物の上面が低い場合において、かご床部とかご敷居本体との間に、段差緩和部材を配置した状態を示す断面図である。
【図６】かご敷居本体の上面よりも、かご敷物の上面が高い場合において、かご床部とかご敷居本体との間に、段差緩和部材を配置した状態を示す断面図である。
【図７】本発明の実施の形態２に係るエレベータの敷居装置を示す断面図である。
【図８】図７の段差緩和部材を示す断面図である。
【図９】本発明の実施の形態３に係るエレベータの敷居装置の要部を示す断面図である。
【図１０】かご敷居本体の上面よりも、かご敷物の上面が高い場合において、段差緩和部材の上面に対して、ねじ穴が垂直な状態を示す断面図である。
【図１１】かご敷居本体の上面よりも、かご敷物の上面が低い場合において、段差緩和部材の上面に対して、ねじ穴が垂直な状態を示す断面図である。
【発明を実施するための形態】
【００１３】
以下、本発明を実施するための形態について、図面を参照して説明する。
本願発明は、かご床部とかご敷居本体との間に、段差緩和部材を用いて傾斜面を形成することで、かご敷物の上面とかご敷居本体の上面との段差を低減することを技術的特徴としている。
【００１４】
実施の形態１．
図１は、本発明の実施の形態１に係るエレベータの敷居装置を示す斜視図である。従来技術では、絨毯のような、材質の柔らかい薄手の敷物が、かご敷居本体よりも高い位置にある場合、敷物の上面に水平部を圧着固定することにより、敷物の上面と、かご敷居本体の上面との段差を低減していた。これに対して、本実施の形態１では、かご敷物１３がどのような材質であっても、段差緩和部材３０を用いて、かご床部１０とかご敷居本体２０との間に傾斜面を形成している。これにより、かご敷物１３の上面と、かご敷居本体２０の上面との段差を低減することができる。
【００１５】
なお、本実施の形態１では、かご床部１０とかご敷居本体２０との間に段差緩和部材３０を配置した場合を例に挙げて説明する。しかしながら、本発明は、これに限定されず、乗場と乗場敷居本体との間に、この段差緩和部材３０を適用することも可能である。
【００１６】
また、図１は、かご室内からみて、エレベータの構成の右側半分を示す斜視図となっており、図１には、エレベータの構成の左側半分が図示されていない。しかしながら、本実施の形態１におけるエレベータは、一般的なエレベータの構成を備えているものとする。
【００１７】
図１において、かご室の正面には、かご出入口柱１が設けられている。かご出入口柱１には、一対の袖壁２が固定されている。各袖壁２の間には、かご出入口が設けられている。また、袖壁２には、かご室の運転を操作する操作機器３が取り付けられている。
【００１８】
また、かご室の正面には、互いに反対方向へ移動して、かご出入口を開閉状態とする一対のかごの戸４が設けられている。さらに、かご室の下部には、かご床部１０が設けられている。かご床部１０は、鋼板製の床板１１、平板状の木材１２（例えば、ベニヤ板）及びかご敷物１３を備えている。
【００１９】
床板１１の上面には、木材１２が設けられている。木材１２の上面には、かご敷物１３が貼り付けられている。なお、かご敷物１３としては、例えば、絨毯、タイル（樹脂・陶器）、大理石、縞鋼板、アルミ縞板などが挙げられる。
【００２０】
かご出入口の下部には、かご敷居本体２０が設けられている。かご敷居本体２０には、かご出入口の間口方向に沿った敷居溝２０ａが形成されている。また、かご敷居本体２０の側部（かご室側の側部）には、かご敷居本体２０の長さ方向に沿って断面弧状の凹部２０ｂが形成されている。さらに、かご敷居本体２０は、ねじ穴支持部２１を有している。
【００２１】
ねじ穴支持部２１は、かご床部１０とかご敷居本体２０との間に配置されている。ねじ穴支持部２１には、かご敷居本体２０の長さ方向に互いに間隔をおいて、複数のねじ穴２１ａが垂直に設けられている。
【００２２】
ここで、かご敷居本体２０の側部（乗場敷居本体側の側部）には、かご敷居本体２０と乗場敷居本体との隙間を塞ぐためのエプロン５が取り付けられている。また、かご敷居本体２０の下部には、前枠６が設けられている。
【００２３】
かご床部１０とかご敷居本体２０との間には、かご出入口の間口方向に沿って、本発明の技術的特徴である段差緩和部材３０が設けられている。この段差緩和部材３０には、段差緩和部材３０の長手方向に互いに間隔をおいて、複数の長穴３０ａが設けられている。
【００２４】
各長穴３０ａは、かご床部１０とかご敷居本体２０との間に、段差緩和部材３０が配置されたとき、各ねじ穴２１ａに対向する位置に配置されている。また、各長穴３０ａは、長穴３０ａの長径方向をかご室の奥行き方向に沿うように配置されている。また、各長穴３０ａは、段差緩和部材３０を貫通しており、皿ねじ７がこの長穴３０ａを貫通して、各ねじ穴２１ａに螺着されている。
【００２５】
次に、図１に示したような本実施の形態１における段差緩和部材３０の構成について、より具体的に説明する。図２は、図１のエレベータの敷居装置の要部を示す断面図、図３は、図２の段差緩和部材３０を示す断面図である。
【００２６】
本実施の形態１における段差緩和部材３０は、第１の係合部３１と、第２の係合部３２と、段差緩和部材３０の上部に形成された平面部３３とを有している。
【００２７】
第１の係合部３１は、段差緩和部材３０の一方（かご敷居本体２０側）に設けられている。また、第１の係合部３１は、断面弧状に形成されている。さらに、第１の係合部３１は、凹部２０ｂに係合される。
【００２８】
ここで、敷居本体側の凹部２０ｂの曲率と、段差緩和部材３０側の第１の係合部３１の曲率とでは、第１の係合部３１の曲率の方が大きくなっている。これにより、第１の係合部３１は、凹部２０ｂに対して回動可能となっている。
【００２９】
第２の係合部３２は、段差緩和部材３０の他方（かご床部１０側）に設けられている。また、第２の係合部３２は、上面傾斜部３２ａと、下面段差部３２ｂとを有している。
【００３０】
上面傾斜部３２ａは、第２の係合部３２の上部に形成され、かご床部１０に近づく方向へ傾斜されている（すなわち、先端に行くほど薄くなるように構成されている）。また、下面段差部３２ｂは、上面傾斜部３２ａの下部に形成されており、かご敷物１３の上部及び側部に係合される。
【００３１】
このように、第２の係合部３２は、上面傾斜部３２ａと、下面段差部３２ｂとを有することにより、かご敷物１３の上面と、上面傾斜部３２ａの端部との段差を小さくすることができる（図２参照）。
【００３２】
また、段差緩和部材３０の上部（長穴３０ａの上部）には、皿ねじ７をねじ穴２１ａに締め付けることにより、皿ねじ７の頭部の外周面が圧接される受皿状傾斜部３０ｂが形成されている。これにより、皿ねじ７の頭部は、かご床部１０とかご敷居本体２０との間に、段差緩和部材３０が水平に配置された場合、段差緩和部材３０の上面に対して面一となっている（図２参照）。
【００３３】
このように、段差緩和部材３０は、かご敷物１３の上面と、かご敷居本体２０の上面との段差が小さい場合、かご敷物１３の上面と、かご敷居本体２０の上面とを平坦状に形成することができる（図１、２参照）。
【００３４】
図４は、皿ねじ７及び段差緩和部材３０の要部を示す分解斜視図である。図４に示すように、段差緩和部材３０は、長穴３０ａ及び受皿状傾斜部３０ｂを有しているので、長穴３０ａ及び受皿状傾斜部３０ｂに皿ねじ７が通されたとき、長穴３０ａの長径方向に沿って変位可能となっている。また、段差緩和部材３０は、設置角度を変更したときでも、皿ねじ７の頭部の外周面が受皿状傾斜部３０ｂに圧接されるので、かご床部１０とかご敷居本体２０との間に確実に設置することができる。
【００３５】
このため、段差緩和部材３０は、後述するが、かご敷居本体２０の上面よりも、かご敷物１３の上面が低い場合や、かご敷居本体２０の上面よりも、かご敷物１３の上面が高い場合でも、設置角度を変更することができる。このような、段差緩和部材３０の設置角度を変更した場合の効果を、図５、図６を用いて、以下に説明する。
【００３６】
図５は、かご敷居本体２０の上面よりも、かご敷物１３の上面が低い場合において、かご床部１０とかご敷居本体２０との間に、段差緩和部材３０を配置した状態を示す断面図である。
【００３７】
図５に示すように、第２の係合部３２は、第１の係合部３１よりも低い位置で、かご敷物１３の上面及び側面に係合されている。これにより、かご床部１０とかご敷居本体２０との間には、段差緩和部材３０によって、傾斜面が形成されている。
【００３８】
図６は、かご敷居本体２０の上面よりも、かご敷物１３の上面が高い場合において、かご床部１０とかご敷居本体２０との間に、段差緩和部材３０を配置した状態を示す断面図である。なお、図６におけるかご敷物１３は、厚手の大理石で形成されているものとする。
【００３９】
図６に示すように、第２の係合部３２は、第１の係合部３１よりも高い位置で、かご敷物１３の上面及び側面に係合されている。これにより、かご床部１０とかご敷居本体２０との間には、段差緩和部材３０によって、傾斜面が形成されている。
【００４０】
このように、段差緩和部材３０は、かご敷居本体２０の上面よりも、かご敷物１３の上面が低い場合や、かご敷居本体２０の上面よりも、かご敷物１３の上面が高い場合でも、かご床部１０とかご敷居本体２０との意匠性が低下するのを防止することができる。
【００４１】
次に、段差緩和部材３０の設置作業について説明する。まず、第１の係合部３１を凹部２０ｂに係合させる。この後、第２の係合部３２をかご敷物１３の上面及び側面に係合させる。次に、各皿ねじ７を各長穴３０ａ及び受皿状傾斜部３０ｂに通すとともに、ねじ穴２１ａに締め付ける。これにより、段差緩和部材３０を、かご床部１０とかご敷居本体２０との間に設置することができる。
【００４２】
以上のように、実施の形態１によれば、段差緩和部材を、長穴を有する構造にするとともに、皿ねじをねじ穴に締め付けることで皿ねじの頭部の外周面が圧接される受皿状傾斜部を有する構造としている。これにより、かご敷物の上面と、かご敷居本体の上面との段差に応じて、段差緩和部材の設置角度を変更することができ、かご床部と敷居本体と間に傾斜面を形成することができる。従って、かご床部とかご敷居本体との間の意匠性の低下を防止するとともに、かご床部の上面と、かご敷居本体の上面との段差によって乗客が転倒することを防止することができるエレベータの敷居装置を得ることができる。
【００４３】
さらに、段差緩和部材は、断面孤状の第１の係合部が、敷居本体側の凹部に係合されることにより、かご敷居本体に対して回動可能となっている。これにより、段差調整部材の設置作業を容易に行うことができる。
【００４４】
さらに、第２の係合部は、上面傾斜部と、下面段差部とを有することにより、第２の係合部がかご敷物の上面及び側面に係合したときに、かご敷物の上面と、第２の係合部の上面との段差を小さくすることができる。
【００４５】
実施の形態２．
先の実施の形態１では、かご床部１０とかご敷居本体２０との間の段差を緩和する段差緩和部材３０の上面を平面状に形成する場合について説明した。これに対して、本発明の実施の形態２では、かご床部１０とかご敷居本体２０との間の段差を緩和する段差緩和部材３０の上面を曲面状に形成する場合について説明する。
【００４６】
図７は、本発明の実施の形態２に係るエレベータの敷居装置を示す断面図、図８は、図７の段差緩和部材３０を示す断面図である。この図７は、先の実施の形態１における図６に対応しており、かご敷居本体２０の上面よりも、かご敷物１３の上面が高い場合において、かご床部１０とかご敷居本体２０との間に、段差緩和部材３０を配置した状態を示している。
【００４７】
先の実施の形態１における段差緩和部材３０と比較すると、本実施の形態２における段差緩和部材３０は、段差緩和部材３０の上部に平面部３３を形成するのではなく、段差緩和部材３０の上部に曲面部３４を形成する点が異なっている。これにより、段差緩和部材３０の第２の係合部３２は、上面傾斜部３２ａを有していない。
【００４８】
また、先の実施の形態１におけるかご敷物１３と比較すると、本実施の形態２におけるかご敷物１３には、第２の係合部３２の下面段差部３２ｂが係合するための、段差部が形成されている。これは、かご敷物１３と第２の係合部３２との係合部分の意匠性を向上させるためのものである。なお、他の構成は、先の実施の形態１と同様であり、説明を省略する。
【００４９】
本実施の形態２における段差緩和部材３０の上面には、かご床部１０とかご敷居本体２０との幅方向に沿って曲面部３４が形成されている。これにより、かご床部１０とかご敷居本体２０との段差が大きい場合においても、段差緩和部材３０の上面と、皿ねじ７の頭部との見た目の違和感を和らげることができる（図７参照）。
【００５０】
以上のように、実施の形態２によれば、段差緩和部材を、曲面部が形成された構造とする。これにより、先の実施の形態１よりも、皿ねじの頭部と、段差緩和部材の上面との変曲点を滑らかにすることができる。さらに、先の実施の形態１と同様に、かご床部の上面と、かご敷居本体の上面との段差によって乗客が転倒することを防止することができる。
【００５１】
実施の形態３．
先の実施の形態１、２では、段差緩和部材３０の設置角度に関係なく、ねじ穴支持部２１にねじ穴２１ａが垂直に設けられていた構成のエレベータの敷居装置について説明した。これに対して、本発明の実施の形態３では、段差緩和部材３０の設置角度に応じて、ねじ穴４０ｂが段差緩和部材３０の上面に対して垂直となるように追従する構成のエレベータの敷居装置について説明する。
【００５２】
図９は、本発明の実施の形態３に係るエレベータの敷居装置の要部を示す断面図である。先の実施の形態１、２におけるエレベータの敷居装置と比較すると、本実施の形態３におけるエレベータの敷居装置は、かご敷居本体２０側に、ガイド部２１ｂ及びねじ穴支持体４０を備えている点が異なっている。なお、他の構成は先の実施の形態１、２と同様であり、説明を省略する。
【００５３】
本実施の形態３におけるねじ穴支持部２１は、ガイド部２１ｂ（貫通孔に相当）を有している。ガイド部２１ｂは、かご敷居本体２０の長さ方向に沿って形成されている。また、ガイド部２１ｂ内には、複数の球体状のねじ穴支持体４０が設けられている。各ねじ穴支持体４０は、かご床部１０とかご敷居本体２０との間に段差緩和部材３０が配置されたときに、長穴３０ａに対向する位置に配置されている。
【００５４】
また、各ねじ穴支持体４０には、互いに対向する一対の平面部４０ａが形成されている。さらに、各ねじ穴支持体４０には、一対の平面部４０ａの間に配置されたねじ穴４０ｂが設けられている。
【００５５】
ここで、ねじ穴支持部２１に設けられたガイド部２１ｂの曲率と、ガイド部２１ｂ内に装着されるねじ穴支持体４０の曲率とでは、ねじ穴支持体４０の曲率の方が大きくなっている。これにより、ねじ穴支持体４０は、ガイド部２１ｂ内において回転可能となっている。
【００５６】
図１０は、かご敷居本体２０の上面よりも、かご敷物１３の上面が高い場合において、段差緩和部材３０の上面に対して、ねじ穴４０ｂが垂直な状態を示す断面図である。
【００５７】
図１０に示すように、ねじ穴支持体４０は、段差緩和部材３０の設置角度に応じて、図１０中の半時計回り方向に回転される。これにより、ねじ穴４０ｂは、段差緩和部材３０の上面に対して垂直となるように追従することができる。また、このときの皿ねじ７は、長穴３０ａの第１の係合部３１側に通されている。
【００５８】
図１１は、かご敷居本体２０の上面よりも、かご敷物１３の上面が低い場合において、段差緩和部材３０の上面に対して、ねじ穴４０ｂが垂直な状態を示す断面図である。
【００５９】
図１１に示すように、ねじ穴支持体４０は、段差緩和部材３０の設置角度に応じて、図１１中の時計回り方向に回転される。これにより、ねじ穴４０ｂは、段差緩和部材３０の上面に対して垂直となるように追従することができる。また、このときの皿ねじ７は、長穴３０ａの第２の係合部３２側に通されている。
【００６０】
このように、段差緩和部材３０は、ねじ穴４０ｂを、段差緩和部材３０の上面に対して垂直となるように追従させた場合でも、かご床部１０と敷居本体２０との間に設置角度を変更して設置することができる。
【００６１】
以上のように、実施の形態３によれば、ねじ穴支持部にガイド部を設け、このガイド部内にねじ穴を備えた球体状のねじ穴支持体が回転可能に設けられている。これにより、段差緩和部材の設置角度に応じて、ねじ穴の角度を調整することができる。従って、かご床部とかご敷居本体との段差が大きい場合においても、段差緩和部材の上面から皿ねじの頭部が突出する量を低減することができる。また、先の実施の形態１、２と同様に、かご床部の上面と、かご敷居本体の上面との段差によって乗客が転倒することを防止することができる。
【符号の説明】
【００６２】
７  皿ねじ（ねじ）、１０  かご床部（床部）、２０  かご敷居本体（敷居本体）、２０ｂ  凹部、２１ａ、４０ｂ  ねじ穴（ねじ部）、２１ｂ  ガイド部（貫通孔）、３０  段差緩和部材、３０ａ  長穴、３０ｂ  受皿状傾斜部、３１  第１の係合部、３２  第２の係合部、３２ａ  上面傾斜部、３２ｂ  下面段差部、３４  曲面部、４０  ねじ穴支持体（支持体）。
【図１】
2011011864.tif 000003
【図２】
2011011864.tif 000004
【図３】
2011011864.tif 000005
【図４】
2011011864.tif 000006
【図５】
2011011864.tif 000007
【図６】
2011011864.tif 000008
【図７】
2011011864.tif 000009
【図８】
2011011864.tif 000010
【図９】
2011011864.tif 000011
【図１０】
2011011864.tif 000012
【図１１】
2011011864.tif 000013